(57)【特許請求の範囲】
【請求項１】
ノーマルサイズの撮影画面サイズと上記ノーマルサイズより小さい撮影画面サイズとを切換え可能な撮影画面サイズ切換部と、
少なくとも第１の焦点距離と第２の焦点距離とを有する通常焦点距離領域と、該通常焦点距離領域よりも広角側の領域であって少なくとも第３の焦点距離を有する超広角焦点距離領域とに変位可能な撮影光学系と、
駆動源により駆動されて上記撮影光学系を変位させる焦点距離駆動機構と、
操作に応じて、上記焦点距離駆動機構を駆動可能とするように上記駆動源への駆動制御信号を発するための焦点距離操作部材と、
上記焦点距離操作部材の操作に応じて上記焦点距離駆動機構を駆動制御し、少なくとも上記通常焦点距離領域における上記第１の焦点距離および上記第２の焦点距離並びに上記超広角焦点距離領域における上記第３の焦点距離のうち所望の焦点距離を設定可能な焦点距離設定制御手段と、
上記焦点距離操作部材の操作に応じて上記撮影画面サイズ切換部を制御して、上記ノーマルサイズと上記ノーマルサイズより小さい撮影画面サイズとから選択的に所望の撮影画面サイズに設定可能な撮影画面サイズ設定制御手段と、
を備え、
上記焦点距離操作部材の操作に応じて上記焦点距離駆動機構を駆動制御することによって上記撮影光学系が上記通常焦点距離領域から上記超広角焦点距離領域に設定された際には、撮影画面サイズを上記ノーマルサイズより小さい撮影画面サイズに規定するように上記撮影画面サイズ切換部を制御し、
さらに、上記撮影光学系が上記通常焦点距離領域における上記第１の焦点距離にある場合において当該撮影光学系をこの第１の焦点距離より上記通常焦点距離領域外である第１の位置に向けて変位させるべく上記焦点距離操作部材が所定時間以上操作され続けた際、上記撮影画面サイズ設定制御手段は、上記焦点距離駆動機構を介して上記撮影画面サイズ切換部を駆動制御し、撮影画面サイズを上記ノーマルサイズから上記ノーマルサイズより小さい撮影画面サイズに切り換え設定し、また、上記撮影光学系が上記通常焦点距離領域における上記第２の焦点距離にある場合において当該撮影光学系をこの第２の焦点距離より上記第１の位置とは異なる上記通常焦点距離領域外である第２の位置に向けて変位させるべく上記焦点距離操作部材が所定時間以上操作され続けた際、上記撮影画面サイズ設定制御手段は、上記焦点距離駆動機構を介して上記撮影画面サイズ切換部を駆動制御し、撮影画面サイズを上記ノーマルサイズより小さい撮影画面サイズから上記ノーマルサイズに切り換え設定することを特徴とするカメラ。
【請求項２】
ノーマルサイズの撮影画面サイズと上記ノーマルサイズより小さい撮影画面サイズとを切換え可能な撮影画面サイズ切換部と、
少なくとも第１の焦点距離と第２の焦点距離とを有する通常焦点距離領域と、該通常焦点距離領域よりも広角側の領域であって少なくとも第３の焦点距離を有する超広角焦点距離領域とに変位可能な撮影光学系と、
駆動源により駆動されて上記撮影光学系を変位させる焦点距離駆動機構と、
操作に応じて、上記焦点距離駆動機構を駆動可能とするように上記駆動源への駆動制御信号を発するための焦点距離操作部材と、
上記焦点距離操作部材の操作に応じて上記焦点距離駆動機構を駆動制御し、少なくとも上記通常焦点距離領域における上記第１の焦点距離および上記第２の焦点距離並びに上記超広角焦点距離領域における上記第３の焦点距離のうち所望の焦点距離を設定可能な焦点距離設定制御手段と、
上記焦点距離操作部材の操作に応じて上記撮影画面サイズ切換部を制御して、上記ノーマルサイズと上記ノーマルサイズより小さい撮影画面サイズとから選択的に所望の撮影画面サイズに設定可能な撮影画面サイズ設定制御手段と、
を備え、
上記焦点距離操作部材の操作に応じて上記焦点距離駆動機構を駆動制御することによって上記撮影光学系が上記通常焦点距離領域から上記超広角焦点距離領域に設定された際には、撮影画面サイズを上記ノーマルサイズより小さい撮影画面サイズに規定するように上記撮影画面サイズ切換部を制御し、
さらに、上記焦点距離駆動機構は、上記撮影光学系を上記通常焦点距離領域に設定するための通常焦点距離領域用カムと、上記通常焦点距離領域用カムの一端から延長して形成された超広角焦点距離領域用カムと、上記通常焦点距離領域用カムの他端から延長して形成されたリセットカムと、が形成されたカム環を有していて、
上記カム環は、駆動源により回動されることに応じて上記いずれかのカムにより上記撮影光学系を光軸方向に変位させて焦点距離を変更可能であり、また、当該カム環の回動に連動させて上記撮影画面サイズ切換部を制御して選択的に所望の撮影画面サイズに切換え可能であって、
上記撮影光学系を上記通常焦点距離領域に設定する際には、上記焦点距離操作部材を操作することによって上記カム環の回動方向及び回動位置を上記超広角焦点距離領域と上記リセットカムとの間で駆動制御することによって上記撮影光学系の焦点距離と上記撮影画面サイズとを任意に設定可能であり、また、上記焦点距離操作部材を操作し上記カム環を上記超広角焦点距離領域用カムに設定することによって上記撮影光学系を上記通常焦点距離領域から上記超広角焦点距離領域に変位させた際には上記撮影画面サイズを上記ノーマルサイズより小さい撮影画面サイズに規定することを特徴とするカメラ。
【発明の詳細な説明】
【０００１】
【発明の属する技術分野】
本発明は、撮影画面サイズ切換え可能なカメラ、詳しくは、ノーマルサイズの撮影画面と該ノーマルサイズより小さい撮影画面とを切換える撮影画面切換え可能なカメラに関する。
【０００２】
【従来の技術】
近年、カメラの機能は多様化されており、その１つとして撮影画面サイズの切換えがある。特に、けられ，光量不足，収差等の問題がない通常のノーマルサイズの撮影画面サイズ（２４ｍｍ×３６ｍｍ）を有するカメラにおける、パノラマサイズの撮影画面と上記ノーマルサイズの撮影画面との切換え手段は種々提案されており、パノラマ時にアダプターを装着するものや、手動にて切換えができるタイプのものが知られている。これらの撮影画面サイズの切換え時には、ファインダーも切換えることにより撮影範囲を認識できるように構成されている。
【０００３】
また、撮影画面サイズの切換え動作自体に関しては、実公昭３５−２５０５８号公報に、上記ノーマルサイズの撮影画面とハーフサイズの撮影画面（２４ｍｍ×１８ｍｍ）とを手動により切換える切換え機構が開示されている。さらに、本出願人は、特願平２−４０９２３４号において、上記ノーマルサイズの撮影画面とパノラマサイズの撮影画面との切換えを電動により可能とした装置を提案している。
【０００４】
また、ズーミング可能なカメラにアダプター等を装着してパノラマサイズの撮影画面を得るとともに、通常の撮影範囲の他にパノラマサイズの撮影画面においてもズーミングを可能にしたカメラも提案されている。
【０００５】
【発明が解決しようとする課題】
ところで、従来のカメラでは、撮影画面サイズをパノラマモードにして、かつズームをワイド側端に設定することにより、パノラマ効果をより強く発揮することを可能としている。
【０００６】
しかしながら、近年、パノラマモードを使用する撮影者の間では、より広範囲での写真撮影、すなわち、より広角での写真撮影を行いたいというニーズが生じてきた。ところが、一般に、ズームカメラは通常のズーム範囲内でレンズ外径およびレンズ系の移動量をできる限り小さくなるように設計されており、単純により広角側に焦点距離を広げると、撮影レンズ系によっては、けられ，光量不足，収差が生じる等の問題により上記ノーマルサイズの撮影画面サイズにおける該撮影画面の周辺部の光学的性能を満足できなくなる虞があった。
【０００７】
また、撮影レンズは、現在ズームタイプではｆ＝３５〜７０ｍｍやｆ＝３５〜１０５ｍｍが一般的に使用されており、望遠側の使用頻度も高いため、単純に広角側に焦点距離を広げるとズーム比が高くなり、レンズ自体が大型化してしまい、近年の小型化されることが望まれている傾向にあるカメラにおいては大きなマイナス材料となってしまう。
【０００８】
本発明は、係る問題点に鑑みてなされたものであり、上記問題点を解消し、小型でありながら、通常のズーミング範囲におけるような通常焦点距離領域の他に、例えば通常焦点距離領域のワイド端より広角側での写真撮影を、光学的性能を損なうことなく実行可能なカメラを提供することを目的とする。
【０００９】
【課題を解決するための手段】
上記の目的を達成するために本発明の第１のカメラは、ノーマルサイズの撮影画面サイズと上記ノーマルサイズより小さい撮影画面サイズとを切換え可能な撮影画面サイズ切換部と、少なくとも第１の焦点距離と第２の焦点距離とを有する通常焦点距離領域と、該通常焦点距離領域よりも広角側の領域であって少なくとも第３の焦点距離を有する超広角焦点距離領域とに変位可能な撮影光学系と、駆動源により駆動されて上記撮影光学系を変位させる焦点距離駆動機構と、操作に応じて、上記焦点距離駆動機構を駆動可能とするように上記駆動源への駆動制御信号を発するための焦点距離操作部材と、上記焦点距離操作部材の操作に応じて上記焦点距離駆動機構を駆動制御し、少なくとも上記通常焦点距離領域における上記第１の焦点距離および上記第２の焦点距離並びに上記超広角焦点距離領域における上記第３の焦点距離のうち所望の焦点距離を設定可能な焦点距離設定制御手段と、上記焦点距離操作部材の操作に応じて上記撮影画面サイズ切換部を制御して、上記ノーマルサイズと上記ノーマルサイズより小さい撮影画面サイズとから選択的に所望の撮影画面サイズに設定可能な撮影画面サイズ設定制御手段と、を備え、上記焦点距離操作部材の操作に応じて上記焦点距離駆動機構を駆動制御することによって上記撮影光学系が上記通常焦点距離領域から上記超広角焦点距離領域に設定された際には、撮影画面サイズを上記ノーマルサイズより小さい撮影画面サイズに規定するように上記撮影画面サイズ切換部を制御し、さらに、上記撮影光学系が上記通常焦点距離領域における上記第１の焦点距離にある場合において当該撮影光学系をこの第１の焦点距離より上記通常焦点距離領域外である第１の位置に向けて変位させるべく上記焦点距離操作部材が所定時間以上操作され続けた際、上記撮影画面サイズ設定制御手段は、上記焦点距離駆動機構を介して上記撮影画面サイズ切換部を駆動制御し、撮影画面サイズを上記ノーマルサイズから上記ノーマルサイズより小さい撮影画面サイズに切り換え設定し、また、上記撮影光学系が上記通常焦点距離領域における上記第２の焦点距離にある場合において当該撮影光学系をこの第２の焦点距離より上記第１の位置とは異なる上記通常焦点距離領域外である第２の位置に向けて変位させるべく上記焦点距離操作部材が所定時間以上操作され続けた際、上記撮影画面サイズ設定制御手段は、上記焦点距離駆動機構を介して上記撮影画面サイズ切換部を駆動制御し、撮影画面サイズを上記ノーマルサイズより小さい撮影画面サイズから上記ノーマルサイズに切り換え設定することを特徴とする。
【００１０】
上記の目的を達成するために本発明の第２のカメラは、ノーマルサイズの撮影画面サイズと上記ノーマルサイズより小さい撮影画面サイズとを切換え可能な撮影画面サイズ切換部と、少なくとも第１の焦点距離と第２の焦点距離とを有する通常焦点距離領域と、該通常焦点距離領域よりも広角側の領域であって少なくとも第３の焦点距離を有する超広角焦点距離領域とに変位可能な撮影光学系と、駆動源により駆動されて上記撮影光学系を変位させる焦点距離駆動機構と、操作に応じて、上記焦点距離駆動機構を駆動可能とするように上記駆動源への駆動制御信号を発するための焦点距離操作部材と、上記焦点距離操作部材の操作に応じて上記焦点距離駆動機構を駆動制御し、少なくとも上記通常焦点距離領域における上記第１の焦点距離および上記第２の焦点距離並びに上記超広角焦点距離領域における上記第３の焦点距離のうち所望の焦点距離を設定可能な焦点距離設定制御手段と、上記焦点距離操作部材の操作に応じて上記撮影画面サイズ切換部を制御して、上記ノーマルサイズと上記ノーマルサイズより小さい撮影画面サイズとから選択的に所望の撮影画面サイズに設定可能な撮影画面サイズ設定制御手段と、を備え、上記焦点距離操作部材の操作に応じて上記焦点距離駆動機構を駆動制御することによって上記撮影光学系が上記通常焦点距離領域から上記超広角焦点距離領域に設定された際には、撮影画面サイズを上記ノーマルサイズより小さい撮影画面サイズに規定するように上記撮影画面サイズ切換部を制御し、さらに、上記焦点距離駆動機構は、上記撮影光学系を上記通常焦点距離領域に設定するための通常焦点距離領域用カムと、上記通常焦点距離領域用カムの一端から延長して形成された超広角焦点距離領域用カムと、上記通常焦点距離領域用カムの他端から延長して形成されたリセットカムと、が形成されたカム環を有していて、上記カム環は、駆動源により回動されることに応じて上記いずれかのカムにより上記撮影光学系を光軸方向に変位させて焦点距離を変更可能であり、また、当該カム環の回動に連動させて上記撮影画面サイズ切換部を制御して選択的に所望の撮影画面サイズに切換え可能であって、上記撮影光学系を上記通常焦点距離領域に設定する際には、上記焦点距離操作部材を操作することによって上記カム環の回動方向及び回動位置を上記超広角焦点距離領域と上記リセットカムとの間で駆動制御することによって上記撮影光学系の焦点距離と上記撮影画面サイズとを任意に設定可能であり、また、上記焦点距離操作部材を操作し上記カム環を上記超広角焦点距離領域用カムに設定することによって上記撮影光学系を上記通常焦点距離領域から上記超広角焦点距離領域に変位させた際には上記撮影画面サイズを上記ノーマルサイズより小さい撮影画面サイズに規定することを特徴とする。
【００１２】
【発明の実施の形態】
まず、本発明の基本的な概念を図１により説明する。
【００１３】
図１は、一般的なズームカメラにおいて使用される撮影レンズのイメージサークルを示した線図である。
【００１４】
該ズームカメラを用い、通常のノーマルサイズの撮影画面（２４ｍｍ×３６ｍｍ）で写真撮影を行うとすると、図中、点ＡＦ−点ＢＦ−点ＣＦ−点ＤＦで示される撮影画面をカバーするイメージサークルφＦが必要である。しかしながら、上記ノーマルサイズより小さい撮影画面である、たとえば、パノラマサイズの撮影画面（たとえば、１３ｍｍ×３６ｍｍ）を、同図に示すように、点ＡＰ−点ＢＰ−点ＣＰ−点ＤＰで示される大きさに設定すると、該撮影画面をカバーするイメージサークルは、φＰで示されるイメージサークルでよいことになる。さらに、たとえばハーフサイズの撮影画面（２４ｍｍ×１８ｍｍ）を、同図に示すように、点ＡＨ−点ＢＨ−点ＣＨ−点ＤＨで示される大きさに設定すると、該撮影画面をカバーするイメージサークルは、φＨで示されるイメージサークルでよいことになる。
【００１５】
つまり、通常の上記ノーマルサイズの撮影画面より小さいサイズの撮影画面による写真撮影の際には、必ずしも上記イメージサークルφＦを必要としないことを鑑みれば、上記ノーマルサイズの撮影画面で使用される焦点距離範囲を超える領域での写真撮影も可能となる。すなわち、上記ノーマルサイズの撮影画面での撮影においては、上記焦点距離範囲を越えてしまうと撮影光学系の性能が周辺にて劣化する、たとえば、けられ，光量不足，収差等が生じてしまう撮影レンズであっても、上述したパノラマサイズやハーフサイズの撮影画面をカバーするイメージサークルφＰあるいはφＨを有していれば、上記ノーマルサイズの撮影画面での写真撮影は困難であっても、上記パノラマサイズやハーフサイズの撮影画面での写真撮影は可能となる。
【００１６】
本発明は、上述した事象を巧みに利用してなされたものであり、以下、本発明を具体的に実現する実施形態を図面を参照して説明する。
【００１７】
図２は、本発明の第１実施形態を示すズームカメラにおける撮影光学系を示した側面図である。
【００１８】
この撮影光学系は、たとえば、焦点距離：ｆ＝３５〜１０５ｍｍ，ＦＮｏ．４．５〜６．５の３倍ズームレンズであり、１０群１２枚のレンズにより構成されている。また、該撮影光学系のズーミングは３群形式であり、各群は第１レンズ群Ｌｅ１が正、第２レンズ群Ｌｅ２が正、第３レンズ群Ｌｅ３が負のパワーを有するタイプとなっている。なお、フォーカシングは上記第２レンズ群Ｌｅ２により行なわれ、最短撮影距離は、たとえば、０．８ｍとなっている。
【００１９】
図２（ａ）のＷＩＤＥで示す該撮影光学系の状態は、ワイドの無限遠状態（以下、ワイド状態という）であり、図２（ｂ）のＴＥＬＥで示す該撮影光学系の状態がテレの無限遠状態（以下、テレ状態という）である。上記各図において、右端の一点鎖線が結像面６０であり、実際には、フィルムが位置する所である。上記第２レンズ群前方（第１レンズ群側）に矢印で示された部位は、シャッター部６１であり、上記第２レンズ群と一体に移動するセクターを表わしている。また、図中、符号Ｌｗ ，Ｌｔは、それぞれ上記ワイド状態，テレ状態での最至近までのフォーカシング繰り出し量を示している。
【００２０】
このような撮影光学系の場合、上記第１レンズ群と第２レンズ群との間隔をさらに狭くしていくと、焦点距離はよりワイド側に変化していく。このときの該撮影光学系の状態を示したのが図２（ｃ）のＯＶＥＲ  ＷＩＤＥである。この状態を以下、オーバーワイド状態という。
【００２１】
次に、本第１実施形態のズームカメラの変倍撮影光学系とファインダ光学系および撮影画面切換機構とファインダ視野枠切換機構の概要について説明する。
【００２２】
図３は、上記第１実施形態のズームカメラの分解斜視図である。
【００２３】
本第１実施形態はカメラ本体４と、レンズ鏡筒部と、ファインダユニットと、ズームモータユニット１０と、撮影画面切換機構部とによって構成されている。なお、撮影画面の切換えとしては、通常のノーマルサイズ（以下、Ｎサイズという）の撮影画面での撮影（以下Ｎ撮影と称する）モード時の撮影画面から、ハーフサイズの撮影画面、あるいは、パノラマサイズ（以下Ｐサイズという）の撮影画面（たとえば、１３ｍｍ×３６ｍｍ）での撮影（以下Ｐ撮影と称する）モード時の撮影画面への切換えがあるが、本第１実施形態の場合、Ｎ撮影時のノーマルサイズの撮影画面からＰ撮影時のパノラマサイズの撮影画面への切換えを行うものとして説明する。
【００２４】
ズームモータユニット１０は、カメラ本体４に支持されるものであって、ズームモータ１０ａとギヤー列１０ｂで構成され、カム環６を駆動するものである。
【００２５】
レンズ鏡筒部は、固定枠５と、撮影光学系の変倍駆動機構を構成するものであって固定枠５に回転自在に支持されるカム環６と、図示されない撮影レンズ、および、カム環６の回転位相を検出するエンコーダによって構成されている。上記カム環６の外周に第１，第２領域を有するファインダカム７がピン６ａ，６ｂに案内されて周方向に回動自在に配設されている。また、カム環６には上記ギヤー列１０ｂに噛合するギヤー９が固着されている。更に、カム環６の外周端部には後述するＰリング３を操作する当接面６ｃ，６ｄが設けられている。なお、ファインダカム７は、カム環６に対して、Ｎ撮影とＰ撮影モードに対応する２つの相対位置に、後述する相対位置保持機構を介して保持される。その相対位置の切り換えは本体４のストッパ４ｉ，４ｋに該カム７の端面７ｄ，７ｅを付き当てて保持位置をずらして行う。カム環６の外周には接片２６が摺接するエンコーダパターンのフレキシブル基板２５が配設されている。
【００２６】
ファインダユニットは、ファインダ本体８と、本体８に支持されるガイド軸２９と、該軸２９に摺動自在に支持されるファインダレンズ用のＦ枠１１，１２と、該枠１１，１２に保持されるファインダ変倍レンズ１１ｂ，１２ｂと、視野枠切換機構を構成する視野マスク操作用の切換レバー１３と、該枠１１，１２に互いに懸架されるＦ枠ばね１４と、図示しないポロプリズム、視野マスク、接眼レンズ等によって構成されている。そして、上記ファインダ本体８はカメラ本体４に取り付けられる。
【００２７】
撮影画面切換機構部は、カメラ本体４の標準マスク開口部４ｄの前面部に配設されており、撮影画面切り換え用の可動のマスクＡ１，マスクＢ２と、該マスクを操作するＰリング３とで構成される。なお、マスクＡ１，マスクＢ２はそのガイドピン１ｂ，２ｂが本体４の直進案内溝４ｃに案内されてそれぞれの画面切り換え位置に移動可能とする。
【００２８】
そして、Ｐリング３は、撮影画面切り換え時に、ズームモータ１０ａを駆動源として、カム環６の当接面６ｃ，６ｄによって操作腕３ｆを押圧して所定の位置まで回動する。そして、その回動により、その内周に設けられる切り欠き溝３ａ，３ｂに嵌合するマスクＡ１，マスクＢ２の駆動ピン１ａ，２ａを介して上記マスクＡ．Ｂをそれぞれの画面サイズを与える位置に移動させる。
【００２９】
このように構成された上記第１実施形態のズームカメラの動作について説明すると、まず、カメラのズーム動作は、ズーム制御信号に基づいてズームモータ１０ａによりカム環６が回動され、ズーミング動作が実施される。また、そのズーム動作に基づいてファインダユニットのＦ枠１１，１２は、ファインダカム７によって軸方向に駆動され、ファインダ像のズーミングを行う。
【００３０】
そして、撮影画面の切り換えは、上記ズームモータ１０ａでカム環６を介してＰリング３を回動することによって行うが、Ｎ撮影モード切り換え時にはＰリング３を反時計回り（以下ＣＣＷと称する）に回動させて、マスクＡ１，マスクＢ２を上下に開きＮサイズに対応した結像部開口とする。Ｐ撮影モード切り換え時にはＰリング３を時計回り（以下ＣＷと称する）に回動させて、マスクＡ１，マスクＢ２を互いに接近するように移動し、Ｐサイズに対応した結像部開口とする。その切り換え動作に連動して駆動腕３ｇは、上記ファインダユニットの視野マスクの切換レバー１３の操作腕１３ａを押圧し、ファインダ視野枠切換機構を操作して上記撮影画面サイズに対応したファインダ視野枠を与える。
【００３１】
更に、上記撮影画面の切り換えに応じてカム環６とファインダカム７の相対位置も切り換えられる。即ち、カム環６をＣＣＷ、ＣＷ方向に回動させると、ストッパ４ｉ，４ｋにファインダカム７が当接し、更に回動させるとカム環６とファインダカム７の相対位置は変化する。従って、ファインダユニットのＦ枠１１．１２のカムピン１１ａ，１２ａが、ファインダカム７のカム面７ａ，７ｂに摺接する領域が画面の切り換えに応じて相違することになる。そして、その領域は、Ｎ撮影時には第１領域、また、Ｐ撮影時には第２領域とする。但し、第１および第２領域はカム面７ａ，７ｂ上で連続して形成される。
【００３２】
以上のように本第１実施形態においては、Ｎ撮影とＰ撮影での撮影画面サイズの切り換えに応じてファインダ視野枠サイズを切り換えると同時にファインダの変倍率の値も変更され、特にＰ撮影時に倍率を上げてファインダが見辛くなることを防止することができる。例えば、図８に示されるようにＰ撮影時でのファインダ視野枠は従来のように視野枠Ｆp1ではなくＦp2となる。
【００３３】
さて、上記図２（ａ）〜図２（ｃ）が本第１実施形態の撮影光学系を示すことは述べたが、次に、上記図３には不図示の内部構成について簡単に説明する。
【００３４】
図１２が概念図であり、固定枠５の外周に回動自在なカム環６が配設されている。固定枠５には直進溝５ａが設けられており、カム環６のカム溝とにより１群枠５１，２群枠５２，３群枠５３をそれぞれ支持している。尚、カム溝、直進溝は、円周方向にほぼ等分な３ヵ所に設けられている。
【００３５】
図１１はカム環６のカム部展開図を示し、ワイド状態のときは、各群のピンが図中の実線位置に存在する。カム環６は図中の矢印方向に回動され、回動範囲θ1 により、ワイド状態からテレ状態までのズームを可能としている。該カム環には通常の回動範囲の延長線上にオーバーワイド位置が設けられており、ワイド端からθ2 の回動により、オーバーワイド光学系を形成する。
【００３６】
以上鏡枠内部を概念的に説明したが、２群内にはシャッタ機構を司るモーターやセクター類とフォーカシング機構を司るモーターや繰り出し機構が含まれている。また、光学系のワイド状態とはｆ＝３５ｍｍ，テレ状態とはｆ＝１０５ｍｍであるが、オーバーワイド状態は、ｆ＝２８ｍｍに設定されている。
【００３７】
図９は、ファインダ光学系の概念図であり、第２群，第３群を変倍レンズ群とする実像式ファインダである。図中、Ａ，Ｂは、それぞれ最大倍率と最小倍率の時の該ファインダ光学系の状態を表しており、最小倍率は０．４０，最大は１．５６倍である。但し、画面切換に応じ、その変倍率中の使用範囲を限定する構成となっている。ノーマルモードでは３５〜１０５ｍｍで使用するため０．４０〜１．２０を、パノラマモードでは０．４２〜１．５６倍を使用するものである。これにより、パノラマ撮影時には、上述した図８に示したＦP2の視野を得るわけである。
【００３８】
次に、上記ファインダユニットの光学系の構成について図１０に基づいて説明を行う。このファインダユニットは、主にファインダ光学系レンズと、ポロプリズム１５と、視野枠切換機構である視野マスク１６および切換レバー１３とで構成されている。
【００３９】
図１０に示されるように、４つの反射面を持つポロプリズム１５を左右２体に分離し、その中間にファインダ結像系の結像面を位置させる。ファインダの視野マスク１６は２枚で構成され、長穴部１６ａがポロプリズム１５の突起１５ａに係合し、摺動自在に保持されている。また、視野切換レバー１３はファインダ本体８（図３参照）に回動可能に保持されており、視野バネ１７によりＣＣＷ方向に付勢されている。前記図３に示すＰリング３がＰ撮影切り換え動作によりＣＷ方向に回動すると、Ｐリング３の腕部３ｇが視野切換レバ１３の腕部１３ａを押圧し、視野バネ１７に抗して視野切換レバー１３をＣＷ方向に回転させる。このとき視野枠切換レバー１３のＵ溝１３ｂは視野マスク１６の突起１６ｂと係合しているので視野マスク１６は長穴１６ａの長手方向に移動し、視野枠サイズの切り換えが行われる。
【００４０】
次に、本第１実施形態の画面切換機構について、図４〜図７にて詳説する。
【００４１】
図４は、上記図３のリング部を詳細に示すものであり、他の構成はすべて図３に示したものと同等である。また、図４における断面ＡＡ′を図５に、図７における断面ＢＢ′を図６に示している。ここで図４はノーマルモード時の被写体側から見た状態を、図７はパノラマモード時の状態をそれぞれ表わしている。
【００４２】
上記の画面切換機構部は、カメラ本体４のマスク部４ｄの表面４ｆと、固定枠５の端面５ａ間に配設されている。そして、上記切換機構は、Ｐ撮影時の実撮影画面サイズを決定するマスクＡ１，マスクＢ２，マスク位置を切り換えるＰリング３３、Ｎ撮影時の実画面のＮサイズを与える本体４の開口部４ｄとで構成される。Ｐリング３３とマスクＡ１とマスクＢ２とは、固定枠５の端面５ａと本体４のＰリング受け面４ｅとにより軸方向は規制される。そして、Ｐリング３３は外周受け部４ａによって回動可能に保持される。また、Ｐリング３３の回転駆動はその操作腕３３ｆをカム環６の当接部６ｃあるいは６ｄにより押圧することによって行われる。
【００４３】
また、マスクＡ１、マスクＢ２は移動時のガイド用のピン１ｂ，２ｂを持ち、直進ガイド溝４ｃに嵌合している。それらのマスクに設けられた駆動用ピン１ａ，２ａは、Ｐリング３３の切欠溝３３ａ，３３ｂに嵌合している。更に、Ｐリング３３は当接面３３ｅ，３３ｄを有し、その当接面に本体４のストッパ４ｂが当接して、Ｎ撮影位置、Ｐ撮影位置が決定される。そして、Ｐリング３３のクリック突起３３ｃが、本体４のクリック溝４ｇ、または、４ｈに嵌入しクリック保持力を有して位置決めされる。
【００４４】
また、上記Ｐリング３３の外周付近には、Ｎ撮影位置ではオフ，Ｐ撮影位置ではオンとなる画面サイズ検知用のリーフスイッチ（図示せず）が設けられている。
【００４５】
次に、上記画面切換機構の動作について説明する。
【００４６】
図４のＮ撮影モード状態では、マスクＡ１とマスクＢ２は互いに離間しており、本体４のマスク開口部４ｄの範囲外に位置する状態であるので、その開口部４ｄにより実画面のＮサイズ（ノーマルサイズ）が決まることになる。また、その状態ではＰリングの当接面３３ｄがストッパー４ｂに当接しており、クリック突起３３ｃがクリック溝４ｇに嵌入している。この位置からカム環６の当接部６ｄを操作腕３３ｆに当接させてＰリングをＣＷ方向に回転させると、Ｐリング３３の切り欠き溝３３ａ，３３ｂによりマスクＡ１，Ｂ２のピン１ａ，２ａを駆動し、マスクＡ１，Ｂ２は本体４のガイド溝４ｃに沿って下方向にあるいは上方向に移動する。さらに、回転させると、当接面３３ｅがストッパー４ｂに当接し、図７に示されるＰ撮影モード位置にＰリング３３が位置しクリック突起３３ｃがクリック溝４ｈに嵌入する。この状態において、マスクＡ１，Ｂ２は互いに接近した状態となり、それぞれの端面１ｄ，２ｄによりＰサイズ（パノラマサイズ）の実画面サイズのエリアを形成する。
【００４７】
なお、再びＮ撮影モード状態に戻すには、Ｐリング３３の操作腕３３ｆをカム環６の当接部６ｃによりＣＣＷ方向に押圧して回動させ、図４の状態に戻すことができる。また、本実施形態においては、Ｐリング３３の中央の開口部３３ｈの形状は本体開口部４ｄより小さくない必要最小限の寸法を有しており、不要光をできる限り遮光するようにしている。
【００４８】
次に、本第１実施形態のズームカメラのズーミングおよび画面切り換え動作に連動するファインダ光学系の変倍機構について説明する。
【００４９】
図１３，図１４はＮ撮影モードにおけるワイド状態でのファインダカム７とカム環６部の縦断面図、および、その展開図を示す。また、図１５，図１６はＰ撮影モードにおけるテレ状態での縦断面図、および、その展開図を示す。回動可能なファインダカム７はカム環６の外周に後述する相対位置保持機構を介して２つの位置のいずれかに保持されて配設されている。その保持状態のもとにカム環６のズーミングの回転範囲θについてファインダカム７とカム環６は一体となって回動する。なお、図１３，図１１において、カム環６の回動角θ１はガイドピン６ａで示されるワイド位置θA からテレ位置θB の範囲で示される角度である。
【００５０】
そして、図１３，図１４に示されるようにＮ撮影モードにおいては、ファインダのＦ枠１１のカムピン１１ａとＦ枠１２のカムピン１２ａはＦ枠バネ１４（図３参照）の付勢力により、それぞれファインダカム７のカム面７ａと７ｂに当接している。なお、ピン位置１１ａ（Ｗ／Ｎ），１２ａ（Ｗ／Ｎ）は、Ｎ撮影時のワイド状態のピン位置を示している。そして、ズーム操作でカム環６がテレ位置まで回動すると、  Ｆ枠１１，１２のカムピン１１ａ，１２ａはファインダカム７のカム面７ａ，７ｂに当接しながら摺動し、ピン位置１１ａ（Ｔ／Ｎ），１２ａ（Ｔ／Ｎ）に到達する。ピン１１ａ，１２ａ（Ｗ／Ｎ）位置から（Ｔ／Ｎ）位置の範囲が、Ｎ撮影時に使用されるファインダカム７の第１領域ＲN であり、ファインダ倍率としては０．４０倍〜１．２０倍となっている。
【００５１】
図１３のＮ撮影モードから図１５のＰ撮影モードに切り換えるためには図１０のカム環６をワイド端を超えてＰ撮影モードへの切り換え回動位置θC （ピン６ａ位置）までの角度θ2 だけ回動する。このとき、ファインダカムの端面７ｅがカメラ本体のストッパ４ｋに当接し、さらに、押圧するのでファインダカム７は前記相対位置保持機構の保持力に抗してピン６ａに対して略角度θ2 だけ回動移動させられ、Ｐ撮影モード状態の相対位置に位置決めされる。但し、この状態はワイド状態である。
【００５２】
図１５，図１６はＰ撮影のテレ状態を示しているが、この状態からカム環６がワイド側へ回動すると、Ｆ枠１，２のカムピンは１１ａ（Ｔ／Ｐ），１２ａ（Ｔ／Ｐ）位置から１１ａ（Ｗ／Ｐ），１２ａ（Ｗ／Ｐ）位置までカム面７ａ，７ｂに当接しながら移動する。この範囲がＰ撮影でズームの可能なファインダカム７の第２領域Ｒp である。ファインダ倍率としては０．５２倍〜１．５６倍となる。また、Ｐ撮影時には、さらに回動することにより倍率０．４２倍のオーバーワイド状態に移行することも可能である。そして、図１４で明確な通り、ファインダカム７の第２領域Ｒp は第１領域ＲN を延長する形状で形成されている。
【００５３】
なお、再びＮ撮影状態に戻すためには図１５に示すようにカム環６をテレ端を超えて、Ｎ撮影切り換え角θR だけ、即ち、ピン６ａの位置に対して回動位置θD まで回動させる。この動作によりファインダカム７の端面７ｄが本体のストッパ４ｉに当接し、更に、ファインダカム７はカム環６に対して相対的にＣＷ方向に回動し、Ｎ撮影状態の相対位置に位置するようになる。但し、そのときの位置はテレ位置であって、図１３に示される状態はワイド位置までカム環６を駆動した状態を示している。
【００５４】
このように本第１実施形態のカメラのファインダは、撮影画面サイズの切換えに連動してカムの使用領域を変化させるため、これによって見易いファインダとすることができるのである。
【００５５】
次に、前述のカム環６とファインダカム７との相対位置保持機構について詳細に説明する。
【００５６】
本第１実施形態のものの上記保持機構はクリックストップ機構を用いたものであって、図１３，図１５に示されるようにファインダカム７にはクリック溝７ｇ，７ｆが形成され、また、カム環６にはクリックバネ３０を保持するるための凹部６ｅが形成されている。更に、クリックバネ３０にはクリック溝７ｇ，７ｆに落ち込むための凸状突起３０ａが形成されている。なお、図示されていないがファインダカム７は、カム環６の外周上を摺動可能とするように半径方向の規制はなされており、ガイドピン６ａ，６ｂに沿って周方向に回動することを可能にする。
【００５７】
図１３においては、クリックバネ３０の突起３０ａはクリック溝７ｇに落ち込んでいるため、この状態でカム環６とファインダカム７は一体的に回動できる。そして、ガイドピン６ａに注目すると角度θ１の範囲でピン６ａを移動すればＮ撮影状態におけるワイドとテレ状態を設定できることがわかる。図の状態からＣＷ方向にカム環６を角度θ2 を回動させるとファインダカム７の端面７ｅは本体ストッパ４ｋに当接した後、更に、回動して突起３０ａがクリック溝７ｆに落ち込み、その嵌入位置が切り換えられる。この切り換え動作によりカム環６とファインダカム７との相対位置関係はＰ撮影用のカム設定状態となり、その後、カム環６のガイドピン６ａの位置をθC からθA に戻すとＰ撮影時のワイド状態に設定される。
【００５８】
なお、上記カム環６をそのままθｃに保持しておけばオーバーワイド状態での撮影が可能となる。
【００５９】
同様に、図１５のＰ撮影のテレ状態において、カム環６をＣＣＷ方向に角度θR 回動させると、カム７の端面７ｄは本体ストッパ４ｉに当接し、更にカム環６が回動するので、ファインダカム７はカム環６に対し相対的に回動し、バネ３０の突起３０ａはクリック溝７ｆから溝７ｇに切り換って落ち込み、カム環６とファインダカム７との相対位置関係はＮ撮影モード用のカム設定状態となる。その後、上記カム環６を逆方向にθR 程回動させればＮ撮影のテレ状態となるわけである。
【００６０】
次に、本実施形態の主要部の構成を電気的な構成として表した場合について、図１７に示すブロック構成図を参照して説明する。
【００６１】
本実施形態のズームカメラは、基本的には既知の全自動カメラであり、カメラ全体の駆動制御を行う演算制御部１０１（以下、ＣＰＵ１０１という）と、該ズームカメラの外部に設けられたレリーズ釦（図示せず）の押圧に連動してオンするレリーズスイッチ１０２と、同じく、該カメラの外部に設けられ、パノラマモード（ワイド状態〜テレ状態の範囲）を選定するパノラマ切換スイッチ１０３と、同じく、該カメラの外部に設けられ、オーバーワイド状態を指定するオーバーワイド切換スイッチ１０４と、図示しないボタンやレバーにより構成されたスイッチであって、操作信号を上記ＣＰＵ１０１に送信することでズーム駆動機構１０９を制御するズームスイッチ１０５と、被写体に対し、測距，測光を行い必要なデータを測定して該ＣＰＵ１０１に伝達する測距部１０６，測光部１０７と、上記ズーム駆動機構１０９のモニターを行い、該駆動機構１０９の情報を上記ＣＰＵ１０１に伝達するズームエンコーダ１０８と、撮影画面サイズを検知する画面サイズ検知手段１１０と、ＣＰＵ１０１に制御され動作する露光系１１１および合焦系１１２とが、それぞれ上記ＣＰＵ１０１に接続されて主要部が構成されている。
【００６２】
なお、本第１実施形態の場合、撮影画面サイズの切換えはカム環動力によることは前述したとおりだが、上記パノラマ切換スイッチ１０３やオーバーワイド切換スイッチ１０４の入力によっても上記ズーム駆動機構１０９が制御されるようになっている。
【００６３】
このような構成を有する本実施形態のズームカメラにおける、撮影画面サイズの切換えの動作を上記ＣＰＵ１０１の動作として図１８に示すフローチャートにより説明する。
【００６４】
まず、ＣＰＵ１０１は、上記オーバーワイド切換えスイッチ（以下、Ｏ．Ｗ．スイッチという）１０４の設定状態を確認し（ステップＳ１）、該Ｏ．Ｗ．スイッチ１０４がオンされている場合にはステップＳ４にジャンプし、現状ズーム位置がオーバーワイド状態（Ｏ．Ｗ．）の位置にない場合には、カム環を回動し、オーバーワイド位置にて停止する（ステップＳ５）。上記ステップＳ４において、既にそれ以前にオーバーワイド状態に設定されている場合には、何ら駆動する必要はないためリターンする。
【００６５】
また、上記ステップＳ１において上記Ｏ．Ｗ．スイッチ１０４がオフであるなら、現状ズーム位置を確認し（ステップＳ２）、オーバーワイド状態に設定されているときはカム環をワイド位置（Ｗ位置）まで回動させた（ステップＳ６）後ステップＳ３に移る。また、上記ステップＳ２においてオーバーワイド状態に設定されていなければ、上記パノラマ切換スイッチ（以下、Ｐスイッチという）１０３の設定状態を確認し（ステップＳ２）、該Ｐスイッチ１０３がオフされている、すなわちノーマルモード（以下、Ｎモードという）に設定されているならば、ステップＳ７にて現状のマスク状態がパノラマモード（以下、Ｐモードという）であるか否かを確認する。このステップＳ７において、現状のマスク状態と上記Ｐスイッチ１０３の状態が一致、すなわち、この場合、ＰモードでなくＮモードであるならばそのままリターンに移行できる。しかし、モード設定が現状と異なる場合、すなわち、この場合、Ｐモードであるならば、以下の動作が必要となる。
【００６６】
まず、ステップＳ８はＰモードは解除されているが、マスク状態がパノラマ状態にある時に上記ステップＳ７から移行するものであり、マスク状態をパノラマから解除する必要が生じている。しかしながら、一般的使用状態を考えた場合、ある焦点距離で、モードを変更するということは、その焦点距離での撮影を所望している場合が多い。よって本第１実施形態では、マスク切換え後再び、モード変更時のズーム状態に復帰し得るよう構成されている。すなわち、上記ステップＳ８では現状のズーム位置をメモリーする。次いでステップＳ９により、既述した機構のもとカム環をリセット位置まで回動し停止させる。この状態で、マスク状態の切換えおよびファインダーの視野の切換えは完全に終了している。そして、ステップＳ１０によりカム環を逆転し、上記ステップＳ８によりメモリーしたズーム位置へ復帰させる。これにより、撮影者はモード変更前の焦点状態で、撮影を行なうことが可能となる。
【００６７】
上記ステップＳ３において上記Ｐスイッチ１０３がオンされている場合、すなわちＰモードに設定されているならば、ステップＳ１１にて現状のマスク状態がＮモードであるか否かを確認する。このステップＳ１１において、現状のマスク状態と上記Ｐスイッチ１０３の状態が一致、すなわち、この場合、ＮモードでなくＰモードであるならばそのままリターンに移行できる。しかし、モード設定が現状と異なる場合、すなわち、この場合、Ｎモードであるならば、上述した場合同様以下の動作が必要となる。
【００６８】
上記ステップＳ８〜ステップＳ１０はパノラマからノーマルへの変更の場合について述べたが、その逆も考え方は同等であり、上記ステップＳ１１においてＮモードである場合についても、ステップＳ１２〜ステップＳ１４によりメモリー，Ｏ．Ｗ．位置でのマスク状態およびファインダーの切換えメモリー位置までのカム環復帰が順次行なわれる。
【００６９】
以上説明したように本第１実施形態を用いれば、通常の撮影範囲よりもより広角の写真をパノラマ撮影時に得ることが可能でありながら、そのために撮影光学系を大型化する必要がなく、またその切換えはモード切換えのみで自動的に行なえるというズームカメラを得ることが可能である。
【００７０】
なお、上記第１実施形態における、上記図２に示したような撮影光学系においては、第１レンズ群，第２レンズ群の間隔を狭くしていくことでオーバーワイド光学系を構成することを述べたが、より広角化を実現しようとした場合、撮影光学系によっては、第２レンズ群のフォーカシング繰り出し量が確保できなくなる場合が考えられるが、一般の撮影シーンを考えた場合、広角パノラマ撮影を撮影者が所望するシーンとしては、風景や多数の人物等が大部分であり、広角パノラマ撮影時には、撮影距離は比較的遠距離側となっているので、本第１実施形態の如く、オーバーワイド時には図２（ａ），図２（ｂ）に示した撮影光学系の状態のように０．８ｍの最短撮影距離を有さなくても、大きな障害とはならないことが多い。
【００７１】
一般に、本第１実施形態の撮影光学系を使用した場合、近距離に焦点を合わせると、第１レンズ群と第２レンズ群との間が狭くなり、レンズ同士が干渉する可能性が高くなる。このことを考慮するとオーバーワイドの撮影範囲を３ｍ〜∞に設定しても良い。
【００７２】
さらに、３ｍ〜∞に設定したが、より近距離側、たとえば３ｍ以下も撮影したいというニーズがあるときには、広角レンズでは、絞り込むことにより被写界深度が大きくなることを利用して、開放ＦNO. を規制してもよい。これは、広角パノラマ撮影時は、比較的明るい野外での撮影が多いためである。これにより、撮影レンズの繰り出し量が確保できなくとも近距離でのオーバーワイド状態が可能となる。
【００７３】
この撮影範囲と開放ＦNO. との関係を以下の表１に示す。
【００７４】
【表１】
0003681963.tif 000002
次に、本発明の第２実施形態について説明する。
【００７５】
この第２の実施形態では、後述のように、ある焦点距離よりも広角側では、利用しない範囲の性能がいかに劣化しても問題ないように、ズーム範囲の一部分をパノラマ専用の領域とするタイプを示す。
【００７６】
上記第１実施形態ではｆ＝３５〜１０５ｍｍを通常撮影範囲とする撮影レンズに対し、ｆ＝２８ｍｍのオーバーワイド位置を一点のみ使用する機構を示したが、撮影者にとっては２８ｍｍ〜３５ｍｍまでの途中範囲でも撮影が可能となったほうがより有用であることは言うまでもない。よって、パノラマ撮影時には周辺光束部を利用しないことを活用すれば、たとえばｆ＝３５ｍｍ以下の範囲はパノラマモードの時のみ使用可能な領域とすることにより、第１実施形態の撮影光学系ほど小型化はできないものの、通常域をｆ＝２８〜１０５ｍｍとする撮影光学系よりは、はるかに小型な撮影光学系を得ることが可能である。
【００７７】
図１９は、上記第２実施形態のズームカメラにおけるカム環の展開図である。なお、不図示の撮影光学系は上記第１実施形態同様、３群構成であり、また枠の概略構成パノラママスク部の切換機構ファインダー部の切換機構等はすべて既述の実施形態と同等である。
【００７８】
ここで、カム環３０６とは図１１におけるカム環６とほぼ同等な機能を有するものである。カム環３０６には１〜３群のレンズ枠をそれぞれ移動させるカムが、１群用として３０６ｆ，２群用として３０６ｇ，３群用として３０６ｈとして設けられている。該カム環は、不図示の駆動系により、図中の上下方向に移動される訳であるが、その領域は以下のように分類される。
【００７９】
まず、通常撮影域がθ1 に相当し、画面サイズはノーマルでもパノラマでも利用可能な領域である。このθ1 に連続に設けられているθ2 がパノラマ専用の範囲であり、ここではｆ＝２８〜３５ｍｍの領域である。上記第１実施形態では、θ2 の終端に相当するオーバーワイド端ではマスクの切換動作も完了していた訳でもあるが、本実施形態ではθ2 範囲をすべて撮影に使用するため、パノラママスクのセット用の領域θS とマスクのリセット用の領域：θR が設けられている。
【００８０】
図１９において、特に説明のない３０６ｄ，３０６ｃは上記第１実施形態同様、例えば図３におけるＰリング３の３ｆ部を回動するために設けられている。
【００８１】
図２０には、本第２実施形態のブロック構成図を示す。
【００８２】
本実施形態では後述するように、ズームスイッチの操作により、マスク切換も可能となっているため、上記第１実施形態のようにパノラマ切換スイッチや、オーバーワイド切換スイッチを設けることなく所望の操作を行なうことが可能である。具体的には、本ズームスイッチはワイド端やテレ端にて、所定の時間スイッチをオンしつづけることによりマスク切換領域への移動が可能となるように構成されている。
【００８３】
次に、本第２実施形態の動作を図２１に示すフローチャートにより説明する。
【００８４】
なお、図中、ｄｏｗｎ方向とは焦点距離の短くなる方向への移動を意味し、ＵＰ方向とは焦点距離の長くなる方向への移動を意味している。
【００８５】
まず、通常撮影域からズームｄｏｗｎ方向（Ｚｄｏｗｎ方向）にスイッチがオンされたと仮定するとステップＳ１０１からステップＳ１０２へ移行し、図２０における、ズーム駆動機構２０９がカム環を回動する。Ｄｏｗｎ側に回動中はワイドもしくはオーバーワイド位置にカム環がこない限り、スイッチがオンされている間はステップＳ１０１，ステップＳ１０２，ステップＳ１０３，ステップＳ１２１，ステップＳ１０１のループにより駆動が継続される。カム環がワイド位置まで駆動されると、ステップＳ１０３，ステップＳ１０４により、カム環はすみやかに停止する。そして、ステップＳ１０５には現在のマスクサイズを判定する。これにより、ノーマルマスクの場合にはステップＳ１０６以降へ、また、パノラママスクの場合にはステップＳ１０１に戻り、パノラマ専用範囲へのズーミングが可能となる。ノーマルモードと判定され、ステップＳ１０６に移行した場合にはタイマーがスタートする。具体的には、本機は４秒のタイマーを有しており、すなわち、約４秒間、ワイド端でズームダウンスイッチをオンされ続けた時マスク切換が行なわれる。
【００８６】
ステップＳ１０６にてタイマーがスタートするが、ステップＳ１０７はスイッチが継続しているかの判定で有り、ステップＳ１０８は規程値に達するまでループさせるためのものである。オン時間がリミッター値に達すると、ステップＳ１０９によりカム環は図１９におけるθ2 ，θS の回動角を移動し停止する。これにより、マスクのパノラマ切換、ファインダーの視野切換が完了したこととなる。
【００８７】
しかし、このマスクセット位置は、撮影はできない領域である。よって、ステップＳ１１０により、マスクセット後はすみやかにカム環を逆転させ、カムをオーバーワイド位置で停止させ、撮影可能とする。
【００８８】
この状態では、パノラマ専用域および通常使用域で、任意にズーミング撮影が可能な訳である。
【００８９】
次いで、ズームアップスイッチがオンされ続けた場合について説明する。
【００９０】
ステップＳ１０１，ステップＳ１１１，ステップＳ１１２によりカム環はＵＰ方向へ回動していくステップＳ１１３にてテレ端が判定されると、カム環はステップＳ１１４によりすみやかに停止する。
【００９１】
ステップＳ１１５では、現在のマスクの状態を判定する。すなわち、ＵＰ側の回動は図１９においてθR 範囲にて、マスクをリセットする動作を有する訳であるからステップＳ１１５において、Ｐスイッチがオフすなわち、ノーマルマスクであればステップＳ１１６以降の動作は不要である。パノラマモードである場合には、ステップＳ１１６によりタイマーがスタートする。ここでのタイマーも本実施形態では上記ステップＳ１０６同様４秒のタイマーである。
【００９２】
ステップＳ１１７にて、スイッチの継続を確認し、ステップＳ１１８にて規程時間の判定が行なわれると、カム環はステップＳ１１９により図１９におけるマスクリセット位置まで回動され停止する。この状態で、マスク、およびファインダー系は、パノラマ状態からノーマル状態に完全に復帰したことになる。このリセット位置は、光学的には撮影不可な領域なため、ステップＳ１２０にて、カム環はテレ端まで逆方向に回動し、一連のフローは終了する。
【００９３】
このように本第２実施形態では、ワイド端やテレ端にて所定の時間ズームスイッチをオンし続けることにより、パノラマとノーマルの画面切換を可能とし、かつワイドからオーバーワイドの範囲も通常の撮影範囲に対して、パノラマモードの時のみ、連続的に使用可能としたため、極めて利用範囲の広いカメラを提供することが可能となる。
【００９４】
以上、上記第１実施形態および第２実施形態に関しては、３群タイプのズームレンズについて説明してきたが、レンズタイプはこれに限定されたものではなく、３群以外のズームタイプや２焦点レンズにおいても応用可能である。例えば、通常焦点距離領域として第１の単一の焦点距離と、別に超焦点距離領域として第２の単一の焦点距離とを有するような、２つの焦点距離に切り換え可能なカメラにも、容易に適用でき、同様な効果を得ることができる。また、フォーカス群もインナーフォーカスタイプに限定されたものではない。さらに、レンズシャッター方式ではなく、一眼レフレックス方式の場合であっても、同様な効果を得ることが可能である。
【００９５】
【発明の効果】
以上説明したように本発明によれば、通常の焦点距離領域よりも広角側或いは望遠側に設けた超焦点距離領域にも対応する撮影光学系を設け、この撮影光学系を超焦点距離領域に設定した場合には、その光学性能確保の範囲を考慮して、使用する撮影画面範囲やファインダ視野範囲を限定することで、通常の焦点距離領域外である超焦点距離領域での写真撮影を、小型でありながら光学的性能を損なうことなく、簡単な操作により自動的に切り換えて実行可能なカメラを提供することができる。
【図面の簡単な説明】
【図１】本発明のカメラの基本的な概念を示した線図。
【図２】本発明の第１実施形態を示すカメラにおける撮影光学系を示した側面図。
【図３】上記第１実施形態のカメラの主要部の分解斜視図。
【図４】上記第１実施形態における画面切換機構のリング部を、ノーマルモード時の被写体側から見た状態を示した拡大正面図。
【図５】上記図４における断面ＡＡ′を示した側断面図。
【図６】下記図７における断面ＢＢ′を示した側断面図。
【図７】上記第１実施形態における画面切換機構のリング部を、パノラマモード時の被写体側から見た状態を示した拡大正面図。
【図８】上記第１実施形態におけるファインダ視野枠を示す正面図。
【図９】上記第１実施形態におけるファインダ光学系の概念を示す側面図。
【図１０】上記第１実施形態におけるファインダユニットの光学系の構成を示す分解斜視図。
【図１１】上記第１実施形態におけるカム環のカム部展開図。
【図１２】上記第１実施形態の撮影光学系の主要部を示す側断面図。
【図１３】上記第１実施形態における、Ｎ撮影モードにおけるワイド状態でのファインダカムとカム環とを示した縦断面図。
【図１４】上記第１実施形態における、Ｎ撮影モードにおけるワイド状態でのファインダカムとカム環とを示した展開図。
【図１５】上記第１実施形態における、Ｐ撮影モードにおけるテレ状態でのファインダカムとカム環とを示した縦断面図。
【図１６】上記第１実施形態における、Ｐ撮影モードにおけるテレ状態でのファインダカムとカム環とを示した展開図。
【図１７】上記第１実施形態の主要部を電気的な構成として表したブロック構成図。
【図１８】上記第１実施形態のカメラにおける、撮影画面サイズの切換えの動作を示したフローチャート。
【図１９】本発明の第２実施形態におけるカム環のカム部展開図。
【図２０】上記第２実施形態の主要部を電気的な構成として表したブロック構成図。
【図２１】上記第２実施形態のカメラにおける、撮影画面サイズの切換えの動作を示したフローチャート。
【符号の説明】
１，２…マスク
３、３３…Ｐリング（画面切換機構）
４…カメラ本体
５…固定枠
６…カム環（変倍駆動機構）
７…ファインダカム
８…ファインダ本体
１０…ズームモータユニット
１０１…ＣＰＵ
１０２…レリーズスイッチ
１０３…パノラマ切換えスイッチ
１０４…オーバーワイド切換えスイッチ
１０５…ズームスイッチ
１０６…測距部
１０７…測光部
１０８…ズームエンコーダ
１０９…ズーム駆動機構
１１０…画面サイズ検知手段
１１１…露光系
１１２…合焦系
φＦ…ノーマルサイズのイメージサークル
φＰ…パノラマサイズのイメージサークル
φＨ…ハーフサイズのイメージサークル
【図１】
0003681963.tif 000003
【図２】
0003681963.tif 000004
【図３】
0003681963.tif 000005
【図４】
0003681963.tif 000006
【図５】
0003681963.tif 000007
【図６】
0003681963.tif 000008
【図７】
0003681963.tif 000009
【図８】
0003681963.tif 000010
【図９】
0003681963.tif 000011
【図１０】
0003681963.tif 000012
【図１１】
0003681963.tif 000013
【図１２】
0003681963.tif 000014
【図１３】
0003681963.tif 000015
【図１４】
0003681963.tif 000016
【図１５】
0003681963.tif 000017
【図１６】
0003681963.tif 000018
【図１７】
0003681963.tif 000019
【図１８】
0003681963.tif 000020
【図１９】
0003681963.tif 000021
【図２０】
0003681963.tif 000022
【図２１】
0003681963.tif 000023